(57)【要約】【課題】  ターンテーブルに対してセンタリングした状態でディスクの浮き上がりを抑えてディスクを確実かつ安定的に挟持できようにする。【解決手段】  ディスク２をターンテーブル１に載置して挟持する際、円筒部４に形成する下部傾斜案内面１０に沿って下面側ディスク２ｂの中心孔２ｄが位置決め段部９へと案内される。ここで、下面側のディスク２ｂの中心孔２ｄが位置決め段部９に嵌り込まず、ディスク２が水平段部９ａに乗り上がったとしても、上面側ディスク２ａの中心孔２ｃが上部傾斜案内面２０に沿って案内され、下面側ディスク２ｂの中心孔２ｄが位置決め段部９に嵌合する。これにより、ターンテーブル１に対して下面側ディスク２ｂがセンタリングされ、ディスク２はクランパ１５とターンテーブル１との間に挟持されたクランプ状態となる。【選択図】      図１
2006228327.tif 000002
【特許請求の範囲】
【請求項１】
スピンドルモータの回転軸に固着されたターンテーブルと、支持部材により支持されたクランパとを具備し、このターンテーブルとクランパとによりディスク状記録媒体を挟持するディスククランプ機構において、前記ターンテーブルに前記ディスク状記録媒体を載置する載置面を形成し、この載置面の中央部に位置して前記ディスク状記録媒体の中心孔を挿通する円筒部を形成するとともに、この円筒部の基部周縁に前記ディスク状記録媒体の中心孔を嵌め入れてディスク状記録媒体をセンタリングする位置決め段部を形成し、この位置決め段部の上面側に前記ディスク状記録媒体を前記位置決め段部へと案内するテーパ状の下部傾斜案内面を形成するとともに、前記クランパには、前記円筒部を受け入れる凹部と、この凹部の開口部周縁部に位置して前記中心孔の内周縁に当接して該中心孔を前記位置決め段部へと案内する上部傾斜案内面を形成したことを特徴とするセンタリング機能を備えたディスククランプ機構。
【請求項２】
前記ディスク状記録媒体が上下に貼り合わせ２枚のディスクによって構成され、その下面側ディスクが前記位置決め段部上に乗り上がった状態で前記ターンテーブルの上昇に連動して前記ディスク状記録媒体の中心孔の内周縁に前記上部傾斜案内面を当接させ、この上部傾斜案内面に沿って前記ディスク状記録媒体の中心孔に前記位置決め段部の外周面を嵌合させたことを特徴とする請求項１記載のセンタリング機能を備えたディスククランプ機構。
【請求項３】
前記下面側ディスクの中心孔を位置決め段部に嵌合させて前記ディスクを前記ターンテーブルの載置面に載置させた状態で、該下面側ディスクの表面より前記位置決め段部の高さを低く設定したことを特徴とする請求項２記載のセンタリング機能を備えたディスククランプ機構。
【発明の詳細な説明】
【技術分野】
【０００１】
本発明は、コンパクトディスク（ＣＤ）やデジタル多用途ディスク（ＤＶＤ）などのディスク状記録媒体をディスクドライブ内に設けた回転軸に固定するセンタリング機能を備えたディスククランプ機構に関する。
【背景技術】
【０００２】
従来から、デジタル多用途ディスク（ＤＶＤ）などのディスク状記録媒体を利用した情報記録再生装置は、スピンドルモータの回転軸にターンテーブルを固着し、このターンテーブルにディスクを載置してターンテーブルとクランパとによりディスク状記録媒体を挟持して回転させ、このディスク状記録媒体へ情報を書き込み、またはこのディスク状記録媒体の情報を読み出したりしている。このような、ディスククランプ機構においては、ディスク状記録媒体を駆動する回転軸に対してディスク状記録媒体を同心的に位置決めするセンタリング機能が備えられている。この種のセンタリング機能を備えたディスククランプ機構として、例えば、特許文献１で開示されるディスク駆動装置が公知である。これは、図５及び図６に示すように、ディスクＡに形成する中心孔Ａ３を基準とし、ディスクＡを位置決めするように、回転軸Ｂ１と同軸となるように、ターンテーブルＢの中心位置に円筒部Ｃを突設し、この円筒部ＣをディスクＡの中心孔Ａ３に嵌合させている。この際、円筒部Ｃの先端側には、先端部に向かって先細に傾斜したテーパ状の案内傾斜部Ｃ１が形成され、ターンテーブルＢがディスクＡに対して下から上昇する過程で、中心孔Ａ３の内周縁に案内傾斜部Ｃ１が接触し、案内傾斜部Ｃ１に沿って中心孔Ａ３が円筒部Ｃの外周に誘い込むように案内される。
【０００３】
【特許文献１】特開２００３−３４６４０３号公報
【発明の開示】
【発明が解決しようとする課題】
【０００４】
ところで、ディスクＡとして、例えば、透明基板と、その透明基板上に設けた第１の無機化合物よりなる誘電体膜、垂直磁気異方性を有する光磁気記録媒体、第２の無機化合物よりなる誘電体膜、そして、光を反射する光反射膜を順次積層した４層よりなり、さらに、記録媒体全面を樹脂により保護コートし、記録媒体面が内側となるように２枚のディスクＡ１，Ａ２を貼り合わせた構造のものが知られている。このような２枚のディスクＡ１，Ａ２を貼り合わせたディスクＡは、図６に示すように、成形誤差などによって２枚のディスクＡ１，Ａ２がズレた状態で張り合わされると、ディスクＡの中心孔Ａ３の径が小さくなるとともに、ディスクＡ１，Ａ２の張り合わせ部分に段差部ａが生じ、その段差部ａが円筒部Ｃに引っ掛かりやすくなる。このように段差部ａが円筒部Ｃに引っ掛かるとターンテーブルＢに対してディスクＡが浮き上がった状態のまま載置され、クランパＤとターンテーブルＢとでディスクＡを安定的に挟持することが困難となる。特に、近年、ディスクＡは高速回転で使用されるので、ディスクＡ自体の浮き上がりが発生すると、光学ピックアップの書き込み読み出し方向が回転中のディスクＡのトラックから逸脱し、情報の書き込みや読み取りが不可能になったり、最悪の場合はターンテーブルＢよりディスクＡが離脱してしまう。
【０００５】
本発明は上記課題を鑑みてなされたものであり、ターンテーブルに対してセンタリングした状態でディスクを確実に載置することができるとともに、回転時において、ディスクが浮き上がったり離脱することなく、安定的に挟持でき、さらに、薄型化にも対応可能なセンタリング機能を備えたディスククランプ機構を提供することを目的とする。
【課題を解決するための手段】
【０００６】
請求項１に係るセンタリング機能を備えたディスククランプ機構は、スピンドルモータの回転軸に固着されたターンテーブルと、支持部材により支持されたクランパとを具備し、このターンテーブルとクランパとによりディスク状記録媒体を挟持するディスククランプ機構において、前記ターンテーブルに前記ディスク状記録媒体を載置する載置面を形成し、この載置面の中央部に位置して前記ディスク状記録媒体の中心孔を挿通する円筒部を形成するとともに、この円筒部の基部周縁に前記ディスク状記録媒体の中心孔を嵌め入れてディスク状記録媒体をセンタリングする位置決め段部を形成し、この位置決め段部の上面側に前記ディスク状記録媒体を前記位置決め段部へと案内するテーパ状の下部傾斜案内面を形成するとともに、前記クランパには、前記円筒部を受け入れる凹部と、この凹部の開口部周縁部に位置して前記中心孔の内周縁に当接して該中心孔を前記位置決め段部へと案内する上部傾斜案内面を形成したことを特徴とする。
【０００７】
請求項１の構成によれば、ディスクがターンテーブルとクランパとの間に搬送され、スピンドルモータを含む駆動ユニットを上昇させ、ディスクの中心孔にターンテーブルの円筒部を挿入する。これにより、ディスクが円筒部によって保持されるとともに、ターンテーブルの上昇に伴って、円筒部の基部周縁に形成する下部傾斜案内面に沿ってディスクの中心孔が位置決め段部へと案内されるが、その際、ディスクの中心孔が位置決め段部に嵌り込まずに位置決め段部に乗り上がる場合があるが、たとえ位置決め段部上にディスクが乗り上がったとしてもターンテーブルの上昇に連動してディスクの中心孔がクランパの裏面に突出するテーパ状の上部傾斜案内面に当接し、この上部傾斜案内面に沿ってディスクが外側に案内される。これにより、ディスクの中心孔が位置決め段部と嵌合し、ターンテーブルに対してディスクがセンタリングされる。このように、ターンテーブルとディスクとをセンタリングした状態でディスクがクランパとターンテーブルとでクランプされる。
【０００８】
請求項２に係るセンタリング機能を備えたディスククランプ機構は、請求項１記載のセンタリング機能を備えたディスククランプ機構において、前記ディスク状記録媒体が上下に貼り合わせ２枚のディスクによって構成され、その下面側ディスクが前記位置決め段部上に乗り上がった状態で前記ターンテーブルの上昇に連動して前記ディスク状記録媒体の中心孔の内周縁に前記上部傾斜案内面を当接させ、この上部傾斜案内面に沿って前記ディスク状記録媒体の中心孔に前記位置決め段部の外周面を嵌合させたことを特徴とする。
【０００９】
請求項２の構成によれば、ターンテーブルの薄型化を図るため、下部傾斜案内面を含む位置決め段部の高さを可及的に低く抑えると、下部傾斜案内面の傾斜が緩やかとなり、ディスクは位置決め段部上に乗り上がり易くなるが、クランパの裏面に突出する上部傾斜案内面に沿ってディスクが外側に案内され、下面側ディスクの中心孔が確実に位置決め段部に嵌合し、ターンテーブルに対して記録媒体面となる下面側ディスクを確実にセンタリングすることが可能となる。
【００１０】
請求項３に係るセンタリング機能を備えたディスククランプ機構は、請求項２記載のセンタリング機能を備えたディスククランプ機構において、前記下面側ディスクの中心孔を位置決め段部に嵌合させて前記ディスクを前記ターンテーブルの載置面に載置させた状態で、該下面側ディスクの表面より前記位置決め段部の高さを低く設定したことを特徴とする。
【００１１】
２枚のディスクがズレて貼り合わされた場合、位置決め段部の高さを下面側ディスクより、低く設定することによって、下面側ディスクの中心孔が位置決め段部に嵌合させた状態において、上面側ディスクは、位置決め段部に対してズレた状態となるが、上面側ディスクは記録媒体面となる下面側ディスクを保護する機能であるから、ターンテーブルに対して多少ズレていても情報の書き込みや読み取りには支障はない。
【発明の効果】
【００１２】
請求項１に係るセンタリング機能を備えたディスククランプ機構によれば、スピンドルモータの回転軸に固着されたターンテーブルと、支持部材により支持されたクランパとを具備し、このターンテーブルとクランパとによりディスク状記録媒体を挟持するディスククランプ機構において、前記ターンテーブルに前記ディスク状記録媒体を載置する載置面を形成し、この載置面の中央部に位置して前記ディスク状記録媒体の中心孔を挿通する円筒部を形成するとともに、この円筒部の基部周縁に前記ディスク状記録媒体の中心孔を嵌め入れてディスク状記録媒体をセンタリングする位置決め段部を形成し、この位置決め段部の上面側に前記ディスク状記録媒体を前記位置決め段部へと案内するテーパ状の下部傾斜案内面を形成するとともに、前記クランパには、前記円筒部を受け入れる凹部と、この凹部の開口部周縁部に位置して前記中心孔の内周縁に当接して該中心孔を前記位置決め段部へと案内する上部傾斜案内面を形成したものであるから、ディスクの中心孔が位置決め段部に嵌り込まずに位置決め段部に乗り上がったとしてもクランパの裏面に突出する上部傾斜案内面に沿ってディスクの中心孔を位置決め段部に嵌合させてターンテーブルに対してディスクをセンタリングすることができる。
【００１３】
請求項２に係るセンタリング機能を備えたディスククランプ機構によれば、請求項１記載のセンタリング機能を備えたディスククランプ機構において、前記ディスク状記録媒体が上下に貼り合わせ２枚のディスクによって構成され、その下面側ディスクが前記位置決め段部上に乗り上がった状態で前記ターンテーブルの上昇に連動して前記ディスク状記録媒体の中心孔の内周縁に前記上部傾斜案内面を当接させ、この上部傾斜案内面に沿って前記ディスク状記録媒体の中心孔に前記位置決め段部の外周面を嵌合させたものであるから、下面側ディスクを案内する下部傾斜案内面の高さを低く抑えることによって、下部傾斜案内面の傾斜が緩やかとなっても、ターンテーブルに対してディスクをセンタリングすることができるため、ターンテーブル、ひいては装置全体の薄型化が可能となる。
【００１４】
請求項３に係るセンタリング機能を備えたディスククランプ機構によれば、請求項２記載のセンタリング機能を備えたディスククランプ機構において、前記下面側ディスクの中心孔を位置決め段部に嵌合させて前記ディスクを前記載置面に載置させた状態で、該下面側ディスクより、前記位置決め段部の高さを低く設定したものであるから、２枚のディスクがズレて貼り合わされたとしても、記録媒体面となる下面側ディスクをターンテーブルに確実にセンタリングし、下面側ディスクに記録された情報の読み取りや書き込みを確実に行なうことができる。
【発明を実施するための最良の形態】
【００１５】
以下、本発明を実施するための最良の形態としての実施例を図１〜図４を参照して説明する。もちろん、本発明は、その発明の趣旨に反さない範囲で、実施例において説明した以外のものに対しても容易に適用可能なことは説明を要するまでもない。
【００１６】
図１〜図４は、本発明の一実施例を示し、図１は、ディスクをクランプする直前の状態を示すディスククランプ機構の断面図、図２は、図１の要部を拡大した断面図、図３は、ディスクのクランプ状態を示すディスククランプ機構の断面図、図４は、図３の要部を拡大した断面図である。同図において、１は合成樹脂などによって形成したターンテーブルであり、ディスク２を載置する円盤状の載置面３と、その載置面３の中央部に円筒部４とを一体形成して構成されている。また、円筒部４の中心部に形成した貫通孔５にはスピンドルモータ６の回転軸７が圧入され、回転軸７とターンテーブル１とが一体化されている。前記載置面３にはゴム質の摩擦係数の高い素材からなる複数の摩擦部材８が前記回転軸７を中心として円環状に貼り付けられており、これら摩擦部材８は、ディスク２をターンテーブル１に載置した際、ディスク２に接触してターンテーブル１に対するディスク２の滑り防止として機能する。また、前記円筒部４の基部周縁には、ディスク２の載置時において、ディスク２をセンタリング位置にガイドするように、ディスク２の中心孔２ｈと嵌合する位置決め段部９が形成されるとともに、位置決め段部９の上面周縁部は水平段部９ａとなっており、さらに、円筒部４から水平段部９ａに向かってディスク２の中心孔２ｈを位置決め段部９の外周面へと誘い込むための下部傾斜案内面１０がテーパ状に拡径して水平段部９ａに連設されている。なお、本実施例においては、ディスク２が２枚のディスク２ａ、２ｂを張り合わせて構成され、その下面側のディスク２ｂの表面が位置決め段部９より高くなるように、ディスク２の厚さｔより下部傾斜案内面１０を含む位置決め段部９の高さｈを低く設定している。
【００１７】
１５は前記ターンテーブル１と対向して支持部材１６に装着されたクランパであり、このクランパ１５の裏面側には、前記円筒部４を受け入れる凹部１７が形成されている。この凹部１７の底部中央には位置決め突部１８が一体形成され、この位置決め突部１８を前記ターンテーブル１の表面中央に形成する位置決め凹部１９と嵌合させることによって、クランパ１５と回転軸７とがセンタリングされる。さらに、前記凹部１７の開口部周縁には、クランパ１５の裏面から突出してテーパ状の上部傾斜案内面２０が形成され、この上部傾斜案内面２０に沿って前記ディスク２が案内され、ディスク２の中心孔２ｈが位置決め段部９へと誘い込まれる。
【００１８】
以上のように構成される本実施例においては、まず、図示しないトレーによって搬送されたディスク２をターンテーブル１とクランパ１５との間に位置させ、スピンドルモータ６を含む駆動ユニットを適宜駆動手段によって上昇させ、ディスク２の中心孔２ｈにターンテーブル１の円筒部４を挿入する。これにより、ディスク２が円筒部４によって保持されるとともに、ターンテーブル１の上昇に伴って、円筒部４の基部周縁に形成する下部傾斜案内面１０に沿って下面側ディスク２ｂの中心孔２ｄが位置決め段部９へと案内される。しかし、本実施例においては、ターンテーブル１の高さを抑えるために、ディスク２の厚さｔより下部傾斜案内面１０を含む位置決め段部９の高さｈが低く設定しており、下部傾斜案内面１０の傾斜が緩やかとなる。このため、ディスク２は下部傾斜案内面１０の傾斜に沿って位置決め段部９へと案内されるものの、下面側のディスク２ｂの中心孔２ｄが位置決め段部９に嵌り込まずディスク２が水平段部９ａに乗り上がる場合がある。このようにしてディスク２が水平段部９ａに乗り上がったとしても、ターンテーブル１の上昇に連動して上面側ディスク２ａの中心孔２ｃがクランパ１５の裏面に突出するテーパ状の上部傾斜案内面２０に当接し、この上部傾斜案内面２０に沿って前記ディスク２が外側に案内される。これにより、下面側ディスク２ｂの中心孔２ｄが位置決め段部９に嵌合し、ターンテーブル１、ひいては回転軸７に対して下面側ディスク２ｂがセンタリングされる。さらに、ターンテーブル１の上昇によって、クランパ１５の裏面側に形成する凹部１７にターンテーブル１の円筒部４が入り込み、凹部１７の底部中央に形成する位置決め突部１８がターンテーブル１の表面中央に形成する位置決め凹部１９と嵌合し、クランパ１５と回転軸７とがセンタリングされた状態でディスク２がクランパ１５とターンテーブル１との間に挟持されたクランプ状態となる。
【００１９】
こうしてディスク２をクランプした後、スピンドルモータ６の回転軸７を介してターンテーブル１を回転駆動すると、センタリングされているクランパ１５およびディスク２は、偏心することなくターンテーブル１と一体的に回転する。また、本実施例では、ディスク２が２枚のディスク２ａ，２ｂを貼り合わせ構成され、その下面側ディスク２ｂに記録媒体面が形成され、たとえディスク２ａ，２ｂとがズレて張り合わされたとしても、記録媒体面を形成する下面側ディスク２ｂに形成する中心孔２ｄが位置決め段部９と嵌合してターンテーブル１、ひいては回転軸７に対して記録媒体面を形成する下面側ディスク２ｂがセンタリングされているから、回転中のディスク２に対して図示せぬ光ピックアップ等により下面側ディスク２ｂに記録された情報の読み取りや書き込みが確実に行える。
【００２０】
以上のように、本実施例においては、クランパ１５を可及的に薄型化するために、ディスク２の厚さｔより下部傾斜案内面１０を含む位置決め段部９の高さｈを低く設定し、この結果、下部傾斜案内面１０の傾斜が緩やかとなって位置決め段部９上にディスク２が乗り上がったとしても、ターンテーブル１の上昇と連動して上面側ディスク２ａの中心孔２ｃがクランパ１５の裏面に突出するテーパ状の上部傾斜案内面２０に当接し、この上部傾斜案内面２０に沿って前記ディスク２が外側に案内される。これにより、下面側ディスク２ｂの中心孔２ｄが位置決め段部９に嵌合してターンテーブル１、ひいては回転軸７に対して下面側ディスク２ｂを確実にセンタリングすることができる。このように、下面側ディスク２ｂの中心孔２ｄが位置決め段部９に嵌合した状態においては、下面側のディスク２ｂの表面が位置決め段部９より高くなるように、ディスク２の厚さｔより下部傾斜案内面１０を含む位置決め段部９の高さｈを低く設定しているから、上下のディスク２ａ，２ｂがズレていてもディスク２をターンテーブル１の載置面３とクランパ１５とで確実にクランプすることができ、かつ、記録媒体面を形成する下面側ディスク２ｂの中心孔２ｄが位置決め段部９と嵌合してターンテーブル１に対して下面側ディスク２ｂが正確にセンタリングされているから、光ピックアップ等により下面側ディスク２ｂに記録された情報の読み取りや書き込みが確実に行える。
【００２１】
以上、本発明の一実施例を詳述したが、本発明は、前記実施例に限定されるものではなく、本発明の要旨の範囲内で種々の変形実施例が可能である。例えば、前記実施例では、ディスクを２枚のディスク２ａ，２ｂを貼り合わせて構成して例を示した、これに限定されるものではない。また、ターンテーブル１やクランパ１５の各部の形状などの適宜選定すればよい。
【図面の簡単な説明】
【００２２】
【図１】本発明の一実施例を示すディスクをクランプする直前の状態を示すディスククランプ機構の断面図である。
【図２】同上、図１の要部を拡大した断面図である。
【図３】同上、ディスクのクランプ状態を示すディスククランプ機構の断面図である。
【図４】同上、図３の要部を拡大した断面図である。
【図５】従来例を示すディスクのクランプ状態を示すディスククランプ機構の断面図である。
【図６】同上、図５の要部を拡大した断面図である。
【符号の説明】
【００２３】
１  ターンテーブル
２  ディスク
２ａ  上面側ディスク
２ｂ  下面側ディスク
２ｃ，２ｄ，２ｈ  中心孔
３  載置面
４  円筒部
６  スピンドルモータ
７  回転軸
９  位置決め段部
１０  下部傾斜案内面
１５  クランパ
１６  支持部材
１７  凹部
２０  上部傾斜案内面
【図１】
2006228327.tif 000003
【図２】
2006228327.tif 000004
【図３】
2006228327.tif 000005
【図４】
2006228327.tif 000006
【図５】
2006228327.tif 000007
【図６】
2006228327.tif 000008